(57)【要約】【課題】施工が容易で、接続が確実なメッシュフェンスを提供する。【解決手段】メッシュパネルの隣合う２縁部の夫々一対の横線材がこの横線材外形に対応したガイド溝とこのガイド溝間に長孔が形成された板状体よりなる接続金具が横線材に当接され、横線材の他面には長孔が形成された固定板が当接され、この接続金具と固定板に設けられた長孔に、長孔の長径よりも短く、短径よりも長い長形の頭部を有し、この頭部とネジ部の間に根角が形成されたボルトが前記接続金具と固定板に設けられた長孔に挿通され、隣り合うメッシュパネルが接続金具と固定板により挟着固定されたもので、施工の時ボルトの頭を長孔に通してから、９０度回転させればボルトが抜けなくなり、同じ方向からナットをボルトに螺入するだけで、同じ方向から作業ができるので、施工が容易である。【選択図】        図１
2006083649.tif 000002
【特許請求の範囲】
【請求項１】
支柱に多数の横線材と縦線材を格子状に組み合わせて形成されたメッシュパネルが取り付けられてなるメッシュフェンスに於いて、メッシュパネルの隣合う２縁部の夫々一対の横線材がこの横線材外形に対応したガイド溝とこのガイド溝間に長孔が形成された板状体よりなる接続金具が横線材に当接され、横線材の他面には長孔が形成された固定板が当接され、この接続金具と固定板に設けられた長孔に、長孔の長径よりも短く、短径よりも長い長形の頭部を有し、この頭部とネジ部の間に根角が形成されたボルトが前記接続金具と固定板に設けられた長孔に挿通され、隣り合うメッシュパネルが接続金具と固定板により挟着固定されたメッシュフェンス。
【請求項２】
支柱に多数の横線材と縦線材を格子状に組み合わせて形成されたメッシュパネルが取り付けられてなるメッシュフェンスに於いて、メッシュパネルの隣合う２縁部の夫々一対の横線材がこの横線材外形に対応したガイド溝とこのガイド溝間に長孔が形成された板状体よりなる接続金具が横線材に当接され、横線材と固定金具の挿入部が断面略逆Ｕ字型の押さえ金具に挟まれ、この押さえ金具の両側壁に長孔が設けられ、この接続金具と押さえ金具に設けられた長孔に、長孔の長径よりも短く、短径よりも長い長形の頭部を有し、この頭部とネジ部の間に根角が形成されたボルトが前記接続金具と押さえ金具に設けられた長孔に挿通され、隣り合うメッシュパネルが接続金具と押さえ金具により挟着固定されたメッシュフェンス。
【発明の詳細な説明】
【技術分野】
【０００１】
本発明は、敷地境界等に建てられるメッシュフェンスに於いて、メッシュフェンスパネル同士が連続的に接続された自由柱方式のメッシュフェンスに関する。
【背景技術】
【０００２】
【特許文献１】特開平１０−１２１７９１号公報
【特許文献２】特開平１０−１７６４４２号公報  道路との境界、敷地同士の境界等を仕切る手段として支柱とパネル状の金網とを組み合わせたメッシュフェンスが汎用されている。このようなメッシュフェンスにおいては一般に柱と柱の間にメッシュパネルを配し、柱から左右にパイプ状の継手金具を延出させ、これで左右のメッシュパネルを支持させるようにしていた。しかしこの方式では柱間隔が固定されるため設置状況に応じた施工の自由度が乏しく、柱の建込みに狂いがあると施工ができなくなるなど施工能率と施工コストが嵩むという問題があった。そこで最近、柱間にメッシュパネルを配して接続するのでなく、左右のメッシュパネル同士を直接連続的に接続する方式のメッシュフェンス（自由柱方式）が現われている。この方式によれば柱間隔に制約がなくなり、自由な柱間隔とすることができるため施工が容易でその自由度がますという利点がある。従来のこの方式のメッシュフェンスは左右のメッシュパネルを接続する場合、隣接するメッシュパネルの縦線ａ及び／又は横線ｂをパネル正面から２つの固定金具ｃで前後を挟み込み、それら固定金具ｃをボルトナットで緊締され、固定されていた。
【発明の開示】
【発明が解決しようとする課題】
【０００３】
しかしながら上記の如きメッシュフェンスにおいては、メッシュパネルの接続部が前後に揺動されると、メッシュパネルがねじれ易く、接続金具が落下し易いという問題があった。又、ボルトの挿入方向とナットの当接方向が逆の位置になるため、隣接地の状況により反対方向へ入りにくい時などは、施工がし難いという問題があった。
【０００４】
そこで本発明者は従来の欠点に鑑み鋭意研究の結果、施工が容易で、接続が確実なメッシュフェンスを提供する。
【課題を解決するための手段】
【０００５】
本発明請求項１記載のメッシュフェンスは、支柱に多数の横線材と縦線材を格子状に組み合わせて形成されたメッシュパネルが取り付けられてなるメッシュフェンスに於いて、メッシュパネルの隣合う２縁部の夫々一対の横線材がこの横線材外形に対応したガイド溝とこのガイド溝間に長孔が形成された板状体よりなる接続金具が横線材に当接され、横線材の他面には長孔が形成された固定板が当接され、この接続金具と固定板に設けられた長孔に、長孔の長径よりも短く、短径よりも長い長形の頭部を有し、この頭部とネジ部の間に根角が形成されたボルトが前記接続金具と固定板に設けられた長孔に挿通され、隣り合うメッシュパネルが接続金具と固定板により挟着固定されたもので、メッシュパネルの横線材が接続金具のガイド溝に当接されているので、メッシュパネルが捻れにくく、施工の時ボルトの頭を長孔に通してから、９０度回転させればボルトが抜けなくなり、同じ方向からナットをボルトに螺入するだけで、同じ方向から作業ができるので、施工が容易である。
【０００６】
本発明請求項２記載のメッシュフェンスは、支柱に多数の横線材と縦線材を格子状に組み合わせて形成されたメッシュパネルが取り付けられてなるメッシュフェンスに於いて、メッシュパネルの隣合う２縁部の夫々一対の横線材がこの横線材外形に対応したガイド溝とこのガイド溝間に長孔が形成された板状体よりなる接続金具が横線材に当接され、横線材と固定金具の挿入部が断面略逆Ｕ字型の押さえ金具に挟まれ、この押さえ金具の両側壁に長孔が設けられ、この接続金具と押さえ金具に設けられた長孔に、長孔の長径よりも短く、短径よりも長い長形の頭部を有し、この頭部とネジ部の間に根角が形成されたボルトが前記接続金具と押さえ金具に設けられた長孔に挿通され、隣り合うメッシュパネルが接続金具と押さえ金具により挟着固定されたもので、メッシュパネルの横線材が接続金具のガイド溝に当接されているので、メッシュパネルが捻れにくく、施工の時ボルトの頭を長孔に通してから、９０度回転させればボルトが抜けなくなり、同じ方向からナットをボルトに螺入するだけで、同じ方向から作業ができるので、施工が容易である。
【発明の効果】
【０００７】
本発明請求項１記載のメッシュフェンスは、支柱に多数の横線材と縦線材を格子状に組み合わせて形成されたメッシュパネルが取り付けられてなるメッシュフェンスに於いて、メッシュパネルの隣合う２縁部の夫々一対の横線材がこの横線材外形に対応したガイド溝とこのガイド溝間に長孔が形成された板状体よりなる接続金具が横線材に当接され、横線材の他面には長孔が形成された固定板が当接され、この接続金具と固定板に設けられた長孔に、長孔の長径よりも短く、短径よりも長い長形の頭部を有し、この頭部とネジ部の間に根角が形成されたボルトが前記接続金具と固定板に設けられた長孔に挿通され、隣り合うメッシュパネルが接続金具と固定板により挟着固定されたもので、メッシュパネルの横線材が接続金具のガイド溝に当接されているので、メッシュパネルが捻れにくく、施工の時ボルトの頭を長孔に通してから、９０度回転させればボルトが抜けなくなり、同じ方向からナットをボルトに螺入するだけで、同じ方向から作業ができるので、施工が容易である。
【０００８】
本発明請求項２記載のメッシュフェンスは、支柱に多数の横線材と縦線材を格子状に組み合わせて形成されたメッシュパネルが取り付けられてなるメッシュフェンスに於いて、メッシュパネルの隣合う２縁部の夫々一対の横線材がこの横線材外形に対応したガイド溝とこのガイド溝間に長孔が形成された板状体よりなる接続金具が横線材に当接され、横線材と固定金具の挿入部が断面略逆Ｕ字型の押さえ金具に挟まれ、この押さえ金具の両側壁に長孔が設けられ、この接続金具と押さえ金具に設けられた長孔に、長孔の長径よりも短く、短径よりも長い長形の頭部を有し、この頭部とネジ部の間に根角が形成されたボルトが前記接続金具と押さえ金具に設けられた長孔に挿通され、隣り合うメッシュパネルが接続金具と押さえ金具により挟着固定されたもので、メッシュパネルの横線材が接続金具のガイド溝に当接されているので、メッシュパネルが捻れにくく、施工の時ボルトの頭を長孔に通してから、９０度回転させればボルトが抜けなくなり、同じ方向からナットをボルトに螺入するだけで、同じ方向から作業ができるので、施工が容易である。
【発明を実施するための最良の形態】
【０００９】
以下本発明の実施形態について説明する。
図１〜図３は本発明の実施形態の一例を示す組立図であり、図に於いてメッシュパネル１の上端部は円筒形に巻回されて胴縁１１となされている。この胴縁１１に接続金具２が挿入され固定板３と協働して、隣り合うメッシュパネル１同士を固定するようになされている。接続金具２は上下の縁部が胴縁１１を構成する横線材１２の外形に適合するように折曲されてガイド溝が形成されている。このガイド溝間の平坦部の左右両端に長方形の長孔が穿設されている。固定板３は上縁部が胴縁１１の横線材１２外形に適合するように折曲されてガイド溝となされている。
【００１０】
図を基に本発明におけるメッシュフェンスの組立方法について説明する。
この例に於いてはメッシュパネル１の上縁部は、円筒形状に巻回されて胴縁１１となされている。この胴縁１１には複数の横線材１２が円形に巻回された縦線材と直交して配設されている。この横線材１２に胴縁１１内に挿入された接続金具２のガイド溝が当接され、接続金具２に当接された横線材１２に胴縁１１の外側から固定板３が当接される。接続金具２と固定板３には、横長の長方形の透孔が設けられており、この長孔２２、３２にボルト５が挿通されるようになっている。ボルト５は前記長孔２２の長径よりも短く、短径よりも長い長形の頭部５２を有し、この頭部とねじ部の間に根角５１が形成されている。このボルト５に形成されている根角５１の辺長は前記接続金具２と固定板３に形成されている長孔２２，３２の短径より稍小寸法となされ、ボルト５の回転が長孔２２、３２によって規制されるようになされている。
【００１１】
図４〜図６は本発明の実施形態の第２の例を示す組立図である。図に於いてメッシュパネル１の上端部は円筒形に巻回されて胴縁１１となされている。この胴縁１１に接続金具２が挿入され断面逆Ｕ字形の押さえ金具４と協働して、隣り合うメッシュパネル１同士を固定するようになされている。接続金具２は上下の縁部が胴縁１１を構成する横線材１２の外形に適合するように折曲されてガイド溝２１が形成されている。このガイド溝２１間の平坦部の左右両端に長方形の長孔２２が穿設されている。押さえ金具４は断面逆Ｕ字形で、側壁に長方形の長孔４１が穿設されている。
【００１２】
この例に於いてはメッシュパネル１の上縁部は、円筒形状に巻回されて胴縁１１となされている。この胴縁１１には複数の横線材１２が円形に巻回された縦線材と直交して配設されている。この横線材１２に胴縁１１内に挿入された接続金具２のガイド溝が当接され、接続金具２に当接された横線材１２に上方から横線材１２と接続金具２を挟むように押さえ金具４が取り付けられる。接続金具２と押さえ金具４には、横長の長方形の透孔が設けられており、この長孔２２、４１にボルト５が挿通されるようになっている。ボルト５は前記長孔２２、４１の長径よりも短く、短径よりも長い長形の頭部５２を有し、この頭部とねじ部の間に根角５１が形成されている。このボルト５に形成されている根角５１の辺長は前記接続金具２と押さえ金具４に形成されている長孔４１の短径より稍小寸法となされ、ボルト５の回転が長孔２１，４１によって規制されるようになされている。
【００１３】
本発明における接続金具２、固定板３、押さえ金具４はどの様な材料から製作されてもよいが、鋼板をプレス加工した後に塗装などの表面処理をしたものが好適に用いられる。又、ボルト５は根角の付いたボルトの頭部の一部を切断して長形の頭部５２を形成してもよいし、所望の頭部形状にヘッダー化工し、鍍金などの表面処理をしたものが用いられてもよい。
【図面の簡単な説明】
【００１４】
【図１】本発明メッシュフェンスの実施形態の一例を示す組立図である。
【図２】本発明メッシュフェンスの実施形態の一例を示す組立図である。
【図３】本発明メッシュフェンスの実施形態の一例を示す組立図である。
【図４】本発明メッシュフェンスの実施形態の一例を示す組立図である。
【図５】本発明メッシュフェンスの実施形態の一例を示す組立図である。
【図６】本発明メッシュフェンスの実施形態の一例を示す組立図である。
【符号の説明】
【００１５】
１      メッシュパネル
１１    胴縁
１２    横線材
２      接続金具
２１    ガイド溝
２２    長孔
３      固定板
３１    ガイド溝
３２    長孔
４      押さえ金具
４１    長孔
５      ボルト
５１    根角
５２    長形の頭部
【図１】
2006083649.tif 000003
【図２】
2006083649.tif 000004
【図３】
2006083649.tif 000005
【図４】
2006083649.tif 000006
【図５】
2006083649.tif 000007
【図６】
2006083649.tif 000008